(57)【要約】【課題】釘やねじ等の保持力が弱い壁部であっても箱状家具Ｆを固定でき、上向きの力が加わっても箱状家具Ｆが脱落せず、箱状家具Ｆを安定して固定する。【解決手段】壁部Ｗに取付固定される壁側取付具１と、箱状家具Ｆ裏面に取付固定される物品側取付具２１を備える。壁側取付具１に、壁用固定ピン４１が壁部Ｗの奥側に向かって下側に向かうように傾斜して挿通される壁用固定ピン挿通孔８、壁側フック部１０、係止用固定ピン挿通孔１４が設けられている。物品側取付具２１に、壁側フック部１０に係合可能な物品側フック部３０、フック部１０，３０同士の係合時に係止用固定ピン挿通孔１４に連通する係止用固定ピン挿通孔３４が設けられている。壁側及び物品側フック部１０，３０の係合状態で、係止用固定ピン４２を箱状家具Ｆの表側から背板Ｆ４、両取付具１，２１の係止用固定ピン挿通孔１４，３４に挿通させて壁部Ｗに差し込む。【選択図】図５
2013162956.tif 000002
【特許請求の範囲】
【請求項１】
建築物の壁部に壁掛け物品を固定支持するための取付具であって、
上記壁部に取付固定される壁側取付具と、上記壁掛け物品の裏面に取付固定される物品側取付具と、針状の壁用固定具及び係止用固定具とを備え、
上記壁側取付具には、上記壁用固定具が壁部の裏側に向かって下側に向かうように傾斜して挿通される壁用固定具挿通孔と、壁側係止部と、該壁側係止部を貫通する係止用固定具挿通孔とが設けられている一方、
上記物品側取付具には、上記壁側係止部に係合可能な物品側係止部と、該物品側係止部を貫通しかつ物品側係止部が壁側係止部に係合したときに上記壁側取付具の係止用固定具挿通孔に連通する係止用固定具挿通孔とが設けられており、
壁用固定具挿通孔に挿通された壁用固定具を壁部に差し込んで壁側取付具を壁面に固定する一方、該壁側取付具の壁側係止部に、壁掛け物品の裏面に取付固定された物品側取付具の物品側係止部を係合して壁掛け物品を壁部に支持し、その状態で、上記係止用固定具を壁掛け物品の表側から該壁掛け物品と、物品側取付具の係止用固定具挿通孔と、該係止用固定具挿通孔に連通している壁側取付具の係止用固定具挿通孔とに挿通させて壁部に差し込むことにより、壁部に壁掛け物品を固定支持するようにしたことを特徴とする壁掛け物品取付具。
【請求項２】
請求項１において、
壁側取付具と物品側取付具とは同一構造であることを特徴とする壁掛け物品取付具。
【請求項３】
請求項１又は２において、
壁掛け物品は箱状の家具であることを特徴とする壁掛け物品取付具。
【請求項４】
請求項１〜３のいずれか１つの壁掛け物品取付具により建築物の壁部に壁掛け物品を固定支持する取付方法であって、
壁掛け物品の裏面への物品側取付具の固定位置を示す第１型紙と、該第１型紙に対応して設けられ、第１型紙によって壁掛け物品の裏面に物品側取付具が固定されたときに該物品側取付具の係止用固定具挿通孔の位置を壁掛け物品の表面側で示す第２型紙とを用意し、
物品側取付具を壁掛け物品の裏面に固定する際に、第１型紙を使用して固定位置どおりに物品側取付具を固定した後、
第２型紙を壁掛け物品の表面側に配置して、その係止用固定具挿通孔の位置に係止用固定具を差し込むことを特徴とする壁掛け物品の取付方法。
【発明の詳細な説明】
【技術分野】
【０００１】
本発明は、壁掛け物品取付具及びそれを用いた壁掛け物品の取付方法に関する。
【背景技術】
【０００２】
従来、釘やねじ等の固定具に対する保持力が弱い例えば石膏ボード等の壁部であっても、比較的軽量の吊り下げ家具等の壁掛け物品を取り付け得るようにした取付具が開発されている。この種の壁掛け物品取付具として、例えば特許文献１に示されるように、壁掛け物品の上端後側角部にビス止めされる断面Ｌ字状の金具を備え、その金具にはガイド孔が形成されており、このガイド孔に沿って門型の平ピンを斜め下向きに挿通して先端部を壁部に打ち込むことで、壁掛け物品を平ピンを介して壁部に固定支持するようにしたものは知られている。
【０００３】
この特許文献１に示されるものでは、平ピンは斜め下方に向いて壁部に打ち込まれるので、平ピンに加わる荷重によって平ピンが壁部から引き抜かれる方向の力は、平ピンを水平方向に壁部に打ち込まれる場合に比べて小さくなり、より大きな荷重に耐えることができる。
【０００４】
また、特許文献２には、壁に固定される第１フックと、壁掛け物品に固定され、第１フックに係止可能な第２フックとを備え、一方のフックに他方のフックを挟み込む挟持部を設けることが示されている。このものでは、壁掛け物品の取付け及び取外しを簡単に行うことができる。
【先行技術文献】
【特許文献】
【０００５】
【特許文献１】実用新案登録第３１３２０９２号公報
【特許文献２】特開２００５−２６１８０２号公報
【発明の概要】
【発明が解決しようとする課題】
【０００６】
ところが、上記特許文献１のものでは、構造上、壁掛け物品の上部のみにしか壁掛け物品取付具を取り付けることができず、１個の取付具当たりの荷重が大きくなるので、比較的重量の大きい壁掛け物品を支持することは困難である。
【０００７】
また、門型の平ピンを斜め下向きにして壁部に打ち込んでいるので、壁掛け物品に対し何等かの理由で上向きの力が加わったときには、平ピンが壁部から抜けて壁掛け物品が脱落してしまう虞れがある。
【０００８】
一方、特許文献２のものでは、壁側の第１フックと壁掛け物品側の第２フックとを係止させているので、重量の大きい壁掛け物品でも支持することができるものの、壁掛け物品に上向きの力が加わると、フックの係合が外れて壁掛け物品が脱落してしまうこととなる。
【０００９】
本発明は斯かる諸点に鑑みてなされたものであり、その目的は、壁掛け物品取付具の構造を工夫して、釘やねじ等の保持力が弱い壁部であっても比較的重い壁掛け物品を固定できるようにするとともに、上向きの力が加わっても壁掛け物品が脱落しないようにして、壁掛け物品を安定して固定できるようにすることにある。
【課題を解決するための手段】
【００１０】
上記の目的の達成のため、この発明では、壁側及び物品側の取付具をそれぞれ係合して物品を壁部に支持するとともに、その係合状態で、針状の固定具を物品に貫通させかつ両取付具の係合箇所も貫通させて壁部に差し込むようにして、その固定具により係合箇所が外れるのを阻止するようにした。
【００１１】
具体的には、請求項１の発明では、建築物の壁部に壁掛け物品を固定支持するための壁掛け物品取付具として、上記壁部に取付固定される壁側取付具と、上記壁掛け物品の裏面に取付固定される物品側取付具と、針状の壁用固定具及び係止用固定具とを備えている。
【００１２】
また、上記壁側取付具には、上記壁用固定具が壁部の裏側（奥側）に向かって下側に向かうように傾斜して挿通される壁用固定具挿通孔と、壁側係止部と、該壁側係止部を貫通する係止用固定具挿通孔とが設けられている。一方、上記物品側取付具には、上記壁側係止部に係合可能な物品側係止部と、該物品側係止部を貫通しかつ物品側係止部が壁側係止部に係合したときに上記壁側取付具の係止用固定具挿通孔に連通する係止用固定具挿通孔とが設けられている。そして、壁用固定具挿通孔に挿通された壁用固定具を壁部に差し込んで壁側取付具を壁面に固定する一方、該壁側取付具の壁側係止部に、壁掛け物品の裏面に取付固定された物品側取付具の物品側係止部を係合して壁掛け物品を壁部に支持し、その状態で、上記係止用固定具を壁掛け物品の表側から該壁掛け物品と、物品側取付具の係止用固定具挿通孔と、該係止用固定具挿通孔に連通している壁側取付具の係止用固定具挿通孔とに挿通させて壁部に差し込むことにより、壁部に壁掛け物品を固定支持するようにしたことを特徴とする。
【００１３】
この請求項１の発明では、壁側取付具は、その壁用固定具挿通孔に挿通された壁用固定具を壁部に差し込むことで壁面に固定され、その壁側取付具の壁側係止部に、壁掛け物品の裏面に取付固定された物品側取付具の物品側係止部が係合され、このことで壁掛け物品が壁部に支持される。そして、この支持状態では、物品側取付具の係止用固定具挿通孔と壁側取付具の係止用固定具挿通孔とが連通しており、針状の係止用固定具が壁掛け物品の表側から壁掛け物品と、物品側取付具の係止用固定具挿通孔と、壁側取付具の係止用固定具挿通孔とに挿通されて壁部に差し込まれ、壁部に壁掛け物品が固定される。また、こうして固定された壁掛け物品を壁部から取り外すには、上記と逆の作業を行えばよい。
【００１４】
このとき、壁部及び壁掛け物品にそれぞれ取付具を取り付けて、両者の係合により壁部に壁掛け物品を固定支持しているので、壁掛け物品の固定が簡単であり、その取付け及び取外しをも自由に行うことができる。
【００１５】
また、上記壁側取付具の壁用固定具挿通孔に挿通された針状の壁用固定具は、壁部の裏側に向かって下側に向かうように傾斜して挿通されるので、たとえ壁部が石膏ボードのように釘やビスの保持力の弱い壁材で構成されていても、比較的重い壁掛け物品を確実にかつ強固に固定することができる。
【００１６】
さらに、壁掛け物品の固定支持状態では、壁側取付具の壁側係止部と物品側取付具の物品側係止部とが係合して、その壁側係止部を貫通する係止用固定具挿通孔と、物品側係止部を貫通する係止用固定具挿通孔とが連通し、この連通する挿通孔に針状の係止用固定具が壁掛け物品を貫通して挿通されて、その先端部が壁部に差し込まれている。そのため、壁掛け物品にそれを持ち上げる上向きの力が加わって、上記壁側取付具の壁側係止部と物品側取付具の物品側係止部との係合が外れようとしても、それは壁側取付具及び物品側取付具の係止用固定具挿通孔同士の連通が解消されることであって係止用固定具によって阻止される。よって、壁側取付具の壁側係止部と物品側取付具の物品側係止部との係合が外れて壁掛け物品が脱落することを防止できる。
【００１７】
請求項２の発明では、請求項１の発明の壁掛け物品取付具において、上記壁側取付具と物品側取付具とは同一構造であることを特徴とする。
【００１８】
この請求項２の発明では、壁側取付具と物品側取付具とを同じものとして共用でき、部品点数を削減できるとともに、使い勝手を高めることができる。
【００１９】
請求項３の発明では、請求項１又は２の発明の壁掛け物品取付具において、上記壁掛け物品は箱状の家具であることを特徴とする。
【００２０】
この請求項３の発明では、箱状家具の壁部への固定が簡単であり、その取付け及び取外しをも自由に行うことができる。また、壁部が石膏ボードのように釘やビスの保持力の弱い壁材で構成されていても、比較的重い箱状家具を確実にかつ強固に固定することができる。さらに、箱状家具に上向きの力が加わっても、壁側取付具の壁側係止部と物品側取付具の物品側係止部との係合が外れようとしても、係止用固定具によって阻止されるので、箱状家具が脱落することを防止できる。
【００２１】
請求項４の発明は、請求項１〜３の発明のいずれか１つの壁掛け物品取付具により建築物の壁部に壁掛け物品を固定支持する取付方法であって、上記壁掛け物品の裏面への物品側取付具の固定位置を示す第１型紙と、該第１型紙に対応して設けられ、第１型紙によって壁掛け物品の裏面に物品側取付具が固定されたときに該物品側取付具の係止用固定具挿通孔の位置を壁掛け物品の表面側で示す第２型紙とを用意し、物品側取付具を壁掛け物品の裏面に固定する際に、第１型紙を使用して固定位置どおりに物品側取付具を固定した後、第２型紙を壁掛け物品の表面側に配置して、その係止用固定具挿通孔の位置に係止用固定具を差し込むことを特徴とする。
【００２２】
この請求項４の発明では、物品側取付具を壁掛け物品の裏面に固定する際、壁掛け物品の裏面への物品側取付具の固定位置を示す第１型紙の取付位置どおりに物品側取付具が固定される。その後、第２型紙が壁掛け物品の表面側に配置されて、その係止用固定具挿通孔の位置に係止用固定具が差し込まれる。この第２型紙は、第１型紙によって壁掛け物品の裏面に物品側取付具が固定されたときに物品側取付具の係止用固定具挿通孔の位置を壁掛け物品の表面側で示しているので、その第２型紙の係止用固定具挿通孔の位置は、壁掛け物品の裏面に固定されている物品側取付具の物品側係止部における係止用固定具挿通孔に対応し、かつ該係止用固定具挿通孔に連通している、壁側取付具の壁側係止部における係止用固定具挿通孔にも対応している。そのため、この第２型紙に示された係止用固定具挿通孔の位置に係止用固定具を挿通させれば、係止用固定具は壁掛け物品と、物品側取付具の係止用固定具挿通孔と、該係止用固定具挿通孔に連通している壁側取付具の係止用固定具挿通孔とに挿通されることとなる。このことによって、壁掛け物品の裏側に位置する物品側取付具の係止用固定具挿通孔、及び物品側取付具に係合する壁側取付具の係止用固定具挿通孔の位置が壁掛け物品の表側から見えない状態でも、その両係止用固定具挿通孔に壁掛け物品の表側から係止用固定具を正確に挿通させることができ、係止用固定具の挿通が容易になる。
【発明の効果】
【００２３】
以上説明のように、請求項１の発明によると、壁用固定具挿通孔に挿通された壁用固定具を壁部に差し込んで壁側取付具を壁部に固定し、その壁側取付具の壁側係止部に、壁掛け物品の裏面に取付固定された物品側取付具の物品側係止部を係合して壁掛け物品を壁部に支持し、その状態で、針状の係止用固定具を壁掛け物品の表側から壁掛け物品と各取付具の係止用固定具挿通孔とに挿通させて壁部に差し込み、壁部に壁掛け物品を固定支持するようにしたことにより、壁掛け物品の固定が簡単であり、その取付け及び取外しをも自由に行うことができる。また、壁側取付具の壁用固定具挿通孔に挿通される針状の壁用固定具が壁部に下側に向かうように傾斜して挿通されるので、たとえ壁部が石膏ボードのように釘やビスの保持力の弱い壁材で構成されていても、比較的重い壁掛け物品を確実にかつ強固に固定することができる。さらに、壁掛け物品の固定支持状態で、壁側取付具の壁側係止部と物品側取付具の物品側係止部との係合によって連通した両係止用固定具挿通孔に針状の係止用固定具が壁掛け物品を貫通して挿通されて、その先端部が壁部に差し込まれているので、壁掛け物品にそれを持ち上げる上向きの力が加わっても、壁側取付具の壁側係止部と物品側取付具の物品側係止部との係合が外れるのが係止用固定具によって阻止され、壁掛け物品の脱落を防止することができる。
【００２４】
請求項２の発明によると、壁側取付具と物品側取付具とを同一構造としたことにより、壁側取付具と物品側取付具とを同じものとして共用でき、部品点数を削減できるとともに、使い勝手を高めることができる。
【００２５】
請求項３の発明によると、壁掛け物品は箱状の家具としたことにより、箱状家具の壁部への固定が簡単であり、その取付け及び取外しをも自由に行うことができる。また、壁部が石膏ボードのように釘やビスの保持力の弱い壁材で構成されていても、比較的重い箱状家具を確実にかつ強固に固定することができる。さらに、箱状家具に上向きの力が加わって、壁側取付具の壁側係止部と物品側取付具の物品側係止部との係合が外れようとしても、係止用固定具によって阻止されるので、箱状家具の脱落を防止することができる。
【００２６】
請求項４の発明によると、壁掛け物品取付具により建築物の壁部に壁掛け物品を固定支持する取付方法として、物品側取付具を壁掛け物品の裏面に固定する際に、第１型紙を使用して物品側取付具の固定位置どおりに物品側取付具を固定した後、第２型紙を壁掛け物品の表面側に配置して、それに示された係止用固定具挿通孔の位置に係止用固定具を差し込むことにより、壁掛け物品の裏側に位置する物品側取付具の係止用固定具挿通孔、及び物品側取付具に係合する壁側取付具の係止用固定具挿通孔の位置が壁掛け物品の表側から見えない状態でも、その両係止用固定具挿通孔に壁掛け物品の表側から係止用固定具を正確に挿通させることができ、係止用固定具の挿通が容易になる。
【図面の簡単な説明】
【００２７】
【図１】図１は、本発明の実施形態に係る壁掛け物品取付具を構成する壁側取付具、物品側取付具、壁用固定ピン及び係止用固定ピンを示す正面図である。
【図２】図２は壁側取付具及び物品側取付具を拡大して示す斜視図である。
【図３】図３は、壁部に壁側取付具が取付固定された状態を示す正面図である。
【図４】図４は、壁掛け物品としての箱状家具の裏面に物品側取付具が取付固定された状態を示す正面図である。
【図５】図５は、壁掛け物品取付具によって箱状家具を壁部に固定支持した状態を拡大して示す側面図である。
【図６】図６は、箱状家具を壁部に固定支持した状態を示す斜視図である。
【図７】図７は、型紙を用いて係止用固定ピンの差込位置を決定する状態を示す図である。
【発明を実施するための形態】
【００２８】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００２９】
図１は本発明の実施形態に係る壁掛け物品取付具Ａを示し、この壁掛け物品取付具Ａは、図３〜図５に示すように、建築物の壁部Ｗに壁掛け物品としての箱状家具Ｆを固定支持するためのものである。上記壁部Ｗは、釘やねじ等の固定具に対する保持力が弱い例えば石膏ボード等からなる。一方、箱状家具Ｆは、天板Ｆ１、底板Ｆ２及び左右側板Ｆ３，Ｆ３が枠状に接合され、かつそれらの後端に背板Ｆ４が接合固定された、前側に開口する箱状のもので、各種の小物類（図示せず）を壁部Ｗの位置に収容配置するため等の用途として用いられる。
【００３０】
壁掛け物品取付具Ａは、図１に示すように、上記壁部Ｗに取付固定される壁側取付具１（図１左端のもの）と、箱状家具Ｆ（壁掛け物品）の裏面に取付固定される物品側取付具２１（図１左から２番目のもの）と、針状の壁用固定具として２本（複数本）の壁用固定ピン４１，４１（図１左から３番目及び４番目のもの）と、針状の係止用固定具としての１本の係止用固定ピン４２（図１右端のもの）とを備えている。
【００３１】
（壁側取付具）
上記壁側取付具１は、図２（ａ）にも示すように、例えばステンレス鋼等の金属製のもので、矩形状の取付具本体２を備え、この取付具本体２の上端には上方に突出する突出部３が一体に設けられている。この突出部３は、取付具本体２に沿って上方に延びる垂直部４と、この垂直部４の上端から前側斜め下方に向かって折り曲げられた傾斜部５と、この傾斜部５の下端から後側に略直角に折り曲げられ、先端が取付具本体２の前面に当接する脚部６とからなっていて、左右側方から見て表側に突出した略直角三角形状に形成されている（図５参照）。
【００３２】
突出部３の左右両側には、それぞれ上記壁用固定ピン４１，４１（針状の壁用固定具）を挿通するための壁用固定ピン挿通孔８，８が上記傾斜部５と垂直部４とに亘って貫通形成され、この各壁用固定ピン挿通孔８は中心線Ｃが前後方向の水平面に対し所定の角度θ（例えばθ＝４０±１０°）で後下がりに傾斜しており、壁用固定ピン挿通孔８に挿通される壁用固定ピン４１は、壁部Ｗの裏側（奥側）に向かって下側に向かうように傾斜して挿通されるようになっている。
【００３３】
取付具本体２の下端部には壁側係止部としての壁側フック部１０が一体に設けられている。この壁側フック部１０は、取付具本体２と同じ幅のもので、取付具本体２に沿って下方に延びる延出部１１と、この延出部１１の下端から前側に向かった後に上方に向かって延出部１１と平行に延びるように折り曲げられた折曲げ部１２とからなり、この折曲げ部１２と延出部１１との間は所定の間隔が空けられていて、両者の間に係合空間が形成されている。
【００３４】
壁側フック部１０の左右中央には、上記係止用固定ピン４２（針状の係止用固定具）を挿通するための係止用固定ピン挿通孔１４が折曲げ部１２及び延出部１１に亘って壁側フック部１０を貫通するように形成され、この係止用固定ピン挿通孔１４は左右方向に長い長孔からなっている。係止用固定ピン挿通孔１４は円形孔であってもよい。
【００３５】
尚、折曲げ部１２及び延出部１１には、折曲げ部１２が延出部１１から離れて開かないようにするために、例えばその一部を長さ方向に沿って内側に凹陥（外側に膨出）させた補強部を形成してもよい。また、壁側取付具１では使用しないが、取付具本体２の中央部には例えば３つのビス挿通孔１６，１６，…が貫通形成されている。このビス挿通孔１６の数は１つ又は２つでもよく、４つ以上でもよい。
【００３６】
（物品側取付具）
一方、本実施形態では、物品側取付具２１は上記壁側取付具１と同一の構造であり、壁側取付具１とは上下逆及び前後逆の姿勢で用いられる。尚、この物品側取付具２１の説明では、「前後」の向きについて壁側取付具１と同様に説明するが、箱状家具Ｆへの取付時には前後が反転し、後述のように、物品側取付具２１は裏面（後面）を前側に向けて箱状家具Ｆの背板Ｆ４裏面に取り付けられる。
【００３７】
すなわち、物品側取付具２１は、図２（ｂ）にも示すように、例えばステンレス鋼等の金属製のもので、矩形状の取付具本体２２を備え、この取付具本体２２の上下中央部には例えば３つのビス挿通孔３６，３６，…が左右方向に並んで貫通形成されており、図４及び図５に示すように、このビス挿通孔３６，３６，…を挿通させてビスＶを箱状家具Ｆの背板Ｆ４に裏面から螺合締結することにより、物品側取付具２１が箱状家具Ｆの裏面に取付固定される。これらビス挿通孔３６，３６，…は、左右中央に位置するものの径が左右両側のものよりも大きくなっており、ビスＶの太さに応じて適宜選択できるようにしている。このビス挿通孔３６の数は１つ又は２つでもよく、４つ以上でもよい。
【００３８】
取付具本体２２の上端部には、上記壁側取付具１の壁側フック部１０（壁側係止部）に係合可能な物品側係止部としての物品側フック部３０が一体に設けられている。この物品側フック部３０は、上記壁側フック部１０と同じ幅（取付具本体２２と同じ幅）のもので、取付具本体２２に沿って上方に延びる延出部３１と、この延出部３１の上端から前側に向かった後に下方に向かって延出部３１と平行に延びるように折り曲げられた折曲げ部３２とからなり、この折曲げ部３２と延出部３１との間は所定の間隔が空けられていて、両者の間に係合空間が形成されている。図５に示すように、この係合空間に壁側取付具１における壁側フック部１０の折曲げ部１２を挿入する、換言すれば、同時に、壁側取付具１における壁側フック部１０の係合空間に物品側取付具２１の物品側フック部３０の折曲げ部３２を挿入することで、物品側取付具２１の物品側フック部３０が壁側取付具１の壁側フック部１０と係合するようになっている。
【００３９】
物品側フック部３０には、上記係止用固定ピン４２（針状の係止用固定具）を挿通するための係止用固定ピン挿通孔３４が折曲げ部３２及び延出部３１に亘って物品側フック部３０を貫通するように形成されている。この係止用固定ピン挿通孔３４は左右方向に長い長孔からなっており、上記のように、物品側取付具２１の物品側フック部３０が壁側取付具１の壁側フック部１０と係合したとき、図５に示すように、上記壁側取付具１の係止用固定ピン挿通孔１４，１４と物品側取付具２１の係止用固定ピン挿通孔３４，３４とが同じ中心線上に位置するように連通して、それらに係止用固定ピン４２が挿通可能となっている。上記係止用固定ピン挿通孔３４は円形孔であってもよい。
【００４０】
尚、折曲げ部３２及び延出部３１には、折曲げ部３２が延出部３１から離れて開かないようにするために、例えばその一部を長さ方向に沿って内側に凹陥（外側に膨出）した補強部を形成してもよい。
【００４１】
また、物品側取付具２１では使用しないが、取付具本体２２の下端には下方に突出する突出部２３が一体に設けられている。この突出部２３は、取付具本体２２に沿って下方に延びる垂直部２４と、この垂直部２４の下端から前側斜め上方に向かって折り曲げられた傾斜部２５と、この傾斜部２５の上端から後側に略直角に折り曲げられ、先端が取付具本体２２の前面に当接する脚部２６とからなっていて、左右側方から見て略直角三角形状に形成されている。突出部２３には、固定ピン具挿通孔２８が上記傾斜部２５と垂直部２４とに亘って貫通形成され、この固定ピン挿通孔２８の中心線は後上がりに傾斜している。
【００４２】
（固定ピン）
さらに、上記壁用固定ピン４１及び係止用固定ピン４２も互いに同じものであり、先端の尖った所定長さ（例えば３２ｍｍ）の金属製のピン本体４３と、その基端部に一体に設けられた球状等の頭部４４とからなる待ち針状のものとされている。
【００４３】
そして、図５に示すように、壁掛け物品取付具Ａは、建築物の壁部Ｗに箱状家具Ｆを支持する際に、壁用固定ピン４１，４１を壁側取付具１の壁用固定ピン挿通孔８，８に挿通して壁部Ｗに差し込むことで、その壁側取付具１を壁面に固定する一方、ビスＶを物品側取付具２１における取付具本体２２のビス挿通孔３６を通して箱状家具Ｆの背板Ｆ４に螺合締結することで、物品側取付具２１を箱状家具Ｆの裏面に取付固定し、上記のようにこの物品側取付具２１の物品側フック部３０を壁側取付具１の壁側フック部１０に係合して箱状家具Ｆを壁部Ｗに吊下げ支持し、その状態で、係止用固定ピン４２を箱状家具Ｆにおける背板Ｆ４の表側から該箱状家具Ｆの背板Ｆ４と、物品側取付具２１の係止用固定ピン挿通孔３４，３４と、この係止用固定ピン挿通孔３４に連通している壁側取付具１の壁用固定ピン挿通孔８とに挿通させて壁部Ｗに差し込むことにより、壁部Ｗに箱状家具Ｆを固定支持するようにしている。
【００４４】
（壁掛け物品取付具による箱状家具の取付方法）
次に、上記壁掛け物品取付具Ａを例えば２つ用いて壁掛け物品としての箱状家具Ｆを壁部Ｗに取り付ける取付方法について説明する。尚、用いる壁掛け物品取付具Ａの数は１つ又は３つ以上であってもよい。
【００４５】
壁掛け物品取付具Ａにより建築物の壁部Ｗに箱状家具Ｆを固定支持する場合、予め、図７（ａ）に示す第１型紙５１と、図７（ｂ）に示す第２型紙５２とを用意する。第１型紙５１は、箱状家具Ｆの背板Ｆ４裏面への物品側取付具２１（図で仮想線にて示す）の固定位置としてそのビス挿通孔３６の位置を表すビス挿通孔位置Ｐ１，Ｐ１，…を示すものである。一方、第２型紙５２は、上記第１型紙５１に対応して設けられたもので、第１型紙５１によって箱状家具Ｆの裏面に物品側取付具２１が固定されたときに該物品側取付具２１の係止用固定ピン挿通孔３４（係止用固定具挿通孔）の位置を表す係止用固定ピン挿通孔位置Ｐ２を箱状家具Ｆの表面側で示している。
【００４６】
このような２種類の型紙５１，５２を用い、まず、その箱状家具Ｆの裏面上部に例えば２つの物品側取付具２１，２１を取付固定する。すなわち、図７（ａ）に示すように、箱状家具Ｆの裏面に上部の左右角部にそれぞれ第１型紙５１を該第１型紙５１の上辺が家具Ｆの天板Ｆ１上面に、また左右側辺の一方が家具Ｆの左右側板Ｆ３，Ｆ３にそれぞれ一致するように当て、その状態で、第１型紙５１に示された物品側取付具２１の固定位置であるビス挿通孔位置Ｐ１，Ｐ１，…を決定して印を付ける。そして、第１型紙５１を除いた後に、その印の付いた各ビス挿通孔位置Ｐ１に対応して物品側取付具２１をビス止めする。具体的には、物品側取付具２１の裏面（上記した説明では後側の面）を前向きにして、箱状家具Ｆの背板Ｆ４裏面に当て、その取付具本体２２の各ビス挿通孔３６にビスＶを挿通し、そのビスＶを家具Ｆの背板Ｆ４の上記各ビス挿通孔位置Ｐ１に裏面から締結する。こうして、図４に示すように、箱状家具Ｆの裏面上部の左右両側に２つの物品側取付具２１，２１が取付固定される。
【００４７】
一方、上記した物品側取付具２１の取付固定と並行して、図３に示すように、箱状家具Ｆを取り付けようとする高さの壁部Ｗに、例えば左右２つの壁側取付具１，１を、それぞれ上記箱状家具Ｆの裏面上部の左右両側に取り付けられた２つの物品側取付具２１，２１の位置に対応して固定する。この場合、２つの壁側取付具１，１の高さ位置は同じとし、両壁側取付具１，１の壁側フック部１０，１０間の間隔Ｌ１を２つの物品側取付具２１，２１の物品側フック部３０，３０間の間隔Ｌ２と同じとする（Ｌ１＝Ｌ２）。
【００４８】
この各壁側取付具１を固定するとき、壁側取付具１を壁面の目的位置に位置付けておき、その壁側取付具１の２つの壁用固定ピン挿通孔８，８にそれぞれの壁用固定ピン４１，４１を挿通して壁部Ｗに差し込む。このことで、壁側取付具１が壁面に固定される。
【００４９】
その際、図５に示すように、壁側取付具１の各壁用固定ピン挿通孔８は中心線Ｃが角度θで後下がりに傾斜しているので、この壁用固定ピン挿通孔８に挿通される上記壁用固定ピン４１は、壁部Ｗの奥側に向かって下側に向かうように傾斜して挿通される。このように壁用固定ピン４１が傾斜して差し込まれることで、後述するように箱状家具Ｆが支持された状態では、その箱状家具Ｆの重さによって壁用固定ピン４１に対し、該壁用固定ピン４１がさらに差し込まれる方向の力が加わる。そのため、壁部Ｗが石膏ボード等のように釘やビスの保持力の弱い壁材で構成されていたとしても、比較的重い箱状家具Ｆ（それに収容されるものも含む）を確実にかつ強固に固定することができる。
【００５０】
こうして箱状家具Ｆに物品側取付具２１，２１が取り付けられ、壁部Ｗに壁側取付具１，１が固定されると、その後、箱状家具Ｆを持ち上げ、図５に示すように、その裏面の各物品側取付具２１の物品側フック部３０を各壁側取付具１の壁側フック部１０と係合する（物品側フック部３０の係合空間に壁側フック部１０の折曲げ部１２を挿入するとともに、壁側フック部１０の係合空間に物品側フック部３０の折曲げ部３２を挿入する）。このフック部１０，３０同士の係合により箱状家具Ｆが物品側取付具２１及び壁側取付具１によって壁部Ｗに支持された状態となる。そして、このフック部１０，３０同士の係合状態では、壁側フック部１０の係止用固定ピン挿通孔１４と物品側フック部３０の係止用固定ピン挿通孔３４とが係止用固定ピン４２を挿通できるように連通する。
【００５１】
しかる後、図７（ｂ）に示すように、箱状家具Ｆにおける背板Ｆ４の表面（前面）の上側左右角部に第２型紙５２をその上辺が天板Ｆ１の下面に、また左右側辺が左右側板Ｆ３，Ｆ３の内面にそれぞれ当たるように押し付ける。この第２型紙５２には、第１型紙５１によって箱状家具Ｆの裏面に物品側取付具２１が固定されたときに該物品側取付具２１の係止用固定ピン挿通孔３４の位置である係止用固定ピン挿通孔位置Ｐ２が示されているので、その係止用固定ピン挿通孔位置Ｐ２を背板Ｆ４にマーキングし、第２型紙５２を取り除いた後、その背板Ｆ４のマーキング位置に係止用固定ピン４２を差し込むと、この係止用固定ピン４２は背板Ｆ４を貫通した後に、背板Ｆ４裏面側にある物品側取付具２１における物品側フック部３０の係止用ピン挿通孔３４，３４に挿通され、引き続き、この係止用ピン挿通孔３４，３４に連通している壁側取付具１における壁側フック部１０の係止用ピン挿通孔１４，１４にも挿通され、先端部が壁用固定ピン４１と同様に壁部Ｗに差し込まれる。具体的には、係止用固定ピン４２は、物品側取付具２１の物品側フック部３０の延出部３１における係止用ピン挿通孔３４、壁側取付具１の壁側フック部１０の折曲げ部１２における係止用固定ピン挿通孔１４、物品側フック部３０の折曲げ部３２における係止用固定ピン挿通孔３４、壁側フック部１０の延出部１１における係止用固定ピン挿通孔１４の順番に挿通された後に壁部Ｗに差し込まれる。
【００５２】
その際、このように箱状家具Ｆの背板Ｆ４裏面への物品側取付具２１の固定位置（ビス挿通孔位置Ｐ１）を示す第１型紙５１と、この第１型紙５１に対応して設けられ、第１型紙５１によって箱状家具Ｆの背板Ｆ４裏面に物品側取付具２１が固定されたときに該物品側取付具２１の係止用固定ピン挿通孔３４の位置（係止用固定ピン挿通孔位置Ｐ２）を箱状家具Ｆの背板Ｆ４表面側で示す第２型紙５２とを用いることで、箱状家具Ｆの裏側に位置する物品側取付具２１の係止用固定ピン挿通孔３４、及び物品側取付具２１に係合する壁側取付具１の係止用固定ピン挿通孔１４の位置が箱状家具Ｆの表側から見えない状態でも、その両係止用固定ピン挿通孔３４，１４に箱状家具Ｆの表側から係止用固定ピン４２を正確に挿通させることができ、係止用固定ピン４２の挿通が容易になる。
【００５３】
しかも、上記壁側フック部１０の係止用ピン挿通孔１４，１４及び物品側フック部３０の係止用ピン挿通孔３４，３４は、いずれも左右方向に長い長孔であるので、これら係止用固定ピン挿通孔１４，３４間で中心が若干ずれていたり、或いは箱状家具Ｆの表側から係止用固定ピン４２の挿通位置が少しずれていたりしても、係止用固定ピン４２を正確に係止用固定ピン挿通孔１４，３４に挿通させることができ、係止用固定ピン４２をさらに容易に挿通させることができる。
【００５４】
以上により、箱状家具Ｆが壁部Ｗに固定支持された状態となり、その取付固定が完了する。尚、このようにして固定された箱状家具Ｆを壁部Ｗから取り外すには、上記と逆の作業を行えばよい。
【００５５】
したがって、この実施形態においては、壁部Ｗに壁側取付具１を、また箱状家具Ｆに物品側取付具２１をそれぞれ取り付けて、両者のフック部１０，３０の係合により壁部Ｗに箱状家具Ｆを固定支持しているので、箱状家具Ｆの壁部Ｗへの支持が簡単であり、その取付けだけでなく、取外しをも自由に行うことができる。しかも、壁用固定ピン４１及び係止用固定ピン４２が針状のものであるので、仮に、その固定ピン４１，４２を抜き取ったときでも、壁部Ｗや箱状家具Ｆの背板Ｆ４に残る孔部は小さく、見映えが悪くなることがない。
【００５６】
また、上記壁側取付具１の壁側フック部１０と物品側取付具２１の物品側フック部３０とが単に係合しているだけの状態では、箱状家具Ｆに何等かの原因でそれを持ち上げる上向きの力が加わると、その力により壁側取付具１及び物品側取付具２１のフック部１０，３０同士の係合が外れることとなる。しかし、この実施形態では、両フック部１０，３０を貫通する係止用固定ピン挿通孔１４，３４が互いに連通し、この連通する固定ピン挿通孔１４，３４に針状の係止用固定ピン４２が箱状家具Ｆの背板Ｆ４を貫通して挿通され、その先端部が壁部Ｗに差し込まれているため、フック部１０，３０同士の係合が外れようとしても、それは上記壁側取付具１及び物品側取付具２１の係止用固定ピン挿通孔１４，３４同士の連通が解消されることを意味し、係止用固定ピン４２によって阻止される。よって、壁側取付具１及び物品側取付具２１のフック部１０，３０同士の係合が外れて箱状家具Ｆが壁部Ｗから脱落することを防止することができる。尚、上記壁側フック部１０の係止用ピン挿通孔１４，１４及び物品側フック部３０の係止用ピン挿通孔３４，３４は、上下方向ではなくて左右方向に長い長孔であるので、上記係止用固定ピン４２による阻止効果が有効に確保される。
【００５７】
また、壁部Ｗに取り付けられる壁側取付具１と、箱状家具Ｆに取り付けられる物品側取付具２１とが同一構造であり、向きを逆にして用いられるので、壁側取付具１と物品側取付具２１とを同じものとして共用でき、部品点数を削減できるとともに、使い勝手を高めることができる。また、壁用固定ピン４１及び係止用固定ピン４２も互いに同じものであるので、同様の作用効果が得られる。
【００５８】
（その他の実施形態）
尚、上記実施形態では、壁側取付具１と物品側取付具２１とを同一の構造としているが、互いの異なるものとしてもよい。例えば物品側取付具２１における取付具本体２２のビス挿通孔３６は必要であるが、壁側取付具１における取付具本体２のビス挿通孔１６は、不要である。また、壁側取付具１のみの突出部３が使用され、物品側取付具２１の突出部２３は不要である。従って、壁側取付具１はビス挿通孔１６，１６，…の無い構造のものとし、物品側取付具２１は突出部２３の無い構造とすればよい。
【００５９】
また、本発明においては、壁側取付具１及び物品側取付具２１の形状は上記実施形態のものに限定されず、また、壁側係止部及び物品側係止部も実施形態に示すフック部１０，３０以外の構造であってもよい。
【００６０】
さらに、上記実施形態では、壁掛け物品を箱状家具Ｆとしているが、箱状家具Ｆ以外のものでもよく、例えば棚や額であってもよい。
【００６１】
また、上記実施形態では、針状の壁用固定具及び係止用固定具を固定ピン４１，４２としているが、針状のものであれば、固定ピン４１，４２の代わりに釘やビス等を使用することができる。
【産業上の利用可能性】
【００６２】
本発明は、壁部が石膏ボードのように釘やビスの保持力の弱い壁材で構成されていても、比較的重い壁掛け物品を確実にかつ強固に固定でき、壁掛け物品にそれを持ち上げる上向きの力が加わっても、係止用固定具によって壁掛け物品が脱落するのを防止できるので、極めて有用であり、産業上の利用可能性が高い。
【符号の説明】
【００６３】
Ａ  壁掛け物品取付具
Ｗ  壁部
Ｆ  箱状家具（壁掛け物品）
Ｆ４  背板
Ｖ  ビス
１  壁側取付具
８  壁用固定ピン挿通孔（壁用固定具挿通孔）
１０  壁側フック部（壁側係止部）
１４  係止用固定ピン挿通孔（係止用固定具挿通孔）
２１  物品側取付具
３０  物品側フック部（物品側係止部）
３４  係止用固定ピン挿通孔（係止用固定具挿通孔）
３６  ビス挿通孔
４１  壁用固定ピン（壁用固定具）
４２  係止用固定ピン（係止用固定具）
５１  第１型紙
Ｐ１  ビス挿通孔位置（固定位置）
５２  第２型紙
Ｐ２  係止用固定ピン挿通孔位置
【図１】
2013162956.tif 000003
【図２】
2013162956.tif 000004
【図３】
2013162956.tif 000005
【図４】
2013162956.tif 000006
【図５】
2013162956.tif 000007
【図６】
2013162956.tif 000008
【図７】
2013162956.tif 000009